(57)【要約】  【課題】  所定深度にボーリングロッドを打ち込んで引き上げるだけで、容易に所定量の地下水を採取することができる地下水採取装置を提供することである。  【解決手段】  パイプ状のボーリングロッド４に中空状のロッドカップリング３を介して下部ロッド２を装着し、該下部ロッドの下方に先端コーン部１Ａを備える貫入コーン部材１を移動自在に配設した地下水採取装置Ｍとして、貫入する際には、先端コーン部と下部ロッドとが密着していて地下水を採取せずに、所定深度まで貫入した後、引き上げる動作により前記先端コーン部と下部ロッド間に開口部Ｅが生じて、この開口部Ｅから所定深度の地下水を採取する構成とした。【選択図】    図１
2005171487.tif 000002
【特許請求の範囲】
【請求項１】
パイプ状のボーリングロッド下部に、共に中空状のロッドカップリングと下部ロッドとを連結して一体的に中空状のロッド体を構成し、該ロッド体の下方に貫入コーン部材を配設した地下水採取装置であって、前記貫入コーン部材が、地中に貫入する先端コーン部と、該先端コーン部の上部側に連なると共に前記ロッドカップリングと下部ロッドの中空状内部とボーリングロッド内部を挿通自在な中央軸部と、該中央軸部に連なる後端拡径部とを備えており、該後端拡径部が前記ボーリングロッドの内部は挿通自在であるが、ロッドカップリングとは係合する構成であることを特徴とする地下水採取装置。
【請求項２】
前記ロッドカップリングが、中心軸方向の小径通路部と、該小径通路部から両端部に向かう傾斜面部とを備えていて、該傾斜面部と前記後端拡径部とが密着する構成であることを特徴とする請求項１に記載の地下水採取装置。
【請求項３】
前記先端コーン部の上端面と前記下部ロッドの下端面とが密着した時に、前記後端拡径部を前記傾斜面部から離間する位置とするような前記中央軸部の長さとして、前記先端コーン部の上端面と前記下部ロッドの下端面とを離間して開口部を開放した後に、前記傾斜面部と前記後端拡径部とが密着する構成としたことを特徴とする請求項２に記載の地下水採取装置。
【請求項４】
前記先端コーン部と前記中央軸部とを着脱自在に構成し、該先端コーン部の上部部材に切欠部を設けると共に、前記下部ロッドに前記切欠部と係合する突出部を設けて、前記下部ロッドと前記先端コーン部とが密着した時に一体的に回転可能な構成としたことを特徴とする請求項１から３のいずれかに記載の地下水採取装置。
【請求項５】
前記先端コーン部が、外表面に螺旋条を備える円錐形状であることを特徴とする請求項４に記載の地下水採取装置。
【請求項６】
前記先端コーン部が掘削チップを備えるメタルクラウン型先端コーン部であることを特徴とする請求項４に記載の地下水採取装置。
【請求項７】
前記ボーリングロッドと前記ロッドカップリングと前記下部ロッドとが略同じ外径であって、前記先端コーン部の外径がそれよりも大きいことを特徴とする請求項１から６のいずれかに記載の地下水採取装置。
【発明の詳細な説明】
【技術分野】
【０００１】
本発明は、地下水の採取装置に関し、さらに詳しくは、所定深度の地下水を確実に採取することができる地下水の採取装置に関する。
【背景技術】
【０００２】
最近では環境汚染に対して注文が厳しく、また監視にも注意が払われている。そのために、周囲環境の汚染の程度を知るために地下水を採取して、該地下水中の汚染物質を調査することが行われている。
【０００３】
汚染状況を正しく把握するためには、所定深度毎の地下水を所定量採取して、その地下水に含有されている汚染物質を調査することで、どの範囲のどの部分がどの程度汚染されているかの判定を行う。
【０００４】
従来の地下水採取方法は、先ず、先行ボーリングを実施して地質状況を把握して調査深度を決定する。次に、地下水採取用の別孔を掘削し、裸孔保護のためのケーシングを降下し、該ケーシング内の採水深度に採水管を挿入して採水する手法が採られている。
【０００５】
また、所定深度の地下水を採取するために、開閉弁を備える貯水タンクと地上に設置する真空ポンプとを備える地下水採取装置も既に公開されている（例えば、特許文献１参照）。
【０００６】
さらには、先端に貫入コーンを備えるフィルター管を所定深度まで打ち込んで、この内部に採水器を挿入して採水する装置も公開されている（例えば、特許文献２参照）。
【特許文献１】特開２００３−１３９６６４号公報（第１−３頁、第１図）
【特許文献２】特開２００２−５４３８２号公報（第１−４頁、第１図）
【発明の開示】
【発明が解決しようとする課題】
【０００７】
従来の採水管による地下水採取は、所定量の地下水を採取するためには、数十回の採水管注入を行う必要があり、さらに広範囲の地下水を採取するには非常に多くの回数採水管注入が必要であった。
【０００８】
また特許文献１に記載の方法では、地下水を採取するために真空ポンプを使用しており、ボーリングロッド打ち込み以外の電装設備が必要である。さらに、特許文献２に記載の装置では、ボーリングロッドを打ち込んだ後で、別途採水器を挿入して採水する工程が必要であって、地下水採取工程が複雑である。
【０００９】
本発明の目的は、上記問題点を解決するために、所定深度にボーリングロッドを打ち込んで引き上げるだけで、容易に所定量の地下水を採取することができる地下水採取装置を提供することである。
【課題を解決するための手段】
【００１０】
上記の目的を達成するために請求項１に係る発明は、パイプ状のボーリングロッド下部に、共に中空状のロッドカップリングと下部ロッドとを連結して一体的に中空状のロッド体を構成し、該ロッド体の下方に貫入コーン部材を配設した地下水採取装置であって、前記貫入コーン部材が、地中に貫入する先端コーン部と、該先端コーン部の上部側に連なると共に前記ロッドカップリングと下部ロッドの中空状内部とボーリングロッド内部を挿通自在な中央軸部と、該中央軸部に連なる後端拡径部とを備えており、該後端拡径部が前記ボーリングロッドの内部は挿通自在であるが、ロッドカップリングとは係合する構成であることを特徴としている。
【００１１】
上記の構成を有する請求項１に係る発明によれば、ボーリングロッドとロッドカップリングと下部ロッドとから構成されるロッド体の下部に、貫入コーン部材を移動自在に装着することで一体の地下水採取装置を構成することができる。
【００１２】
請求項２に係る発明は、前記ロッドカップリングが、中心軸方向の小径通路部と、該小径通路部から両端部に向かう傾斜面部とを備えていて、該傾斜面部と前記後端拡径部とが密着する構成であることを特徴としている。
【００１３】
上記の構成を有する請求項２に係る発明によれば、ロッドカップリング内部の傾斜面部と貫入コーン部材の後端拡径部とが密着することで、液体等の封止弁を構成することができる。
【００１４】
請求項３に係る発明は、前記先端コーン部の上端面と前記下部ロッドの下端面とが密着した時に、前記後端拡径部を前記傾斜面部から離間する位置とするような前記中央軸部の長さとして、前記先端コーン部の上端面と前記下部ロッドの下端面とを離間して開口部を開放した後に、前記傾斜面部と前記後端拡径部とが密着する構成としたことを特徴としている。
【００１５】
上記の構成を有する請求項３に係る発明によれば、ロッド体を貫入する際には、先端コーン部と下部ロッドとが密着していて地下水を採取せずに、所定の深度にてロッド体を引き上げる動作により、前記先端コーン部と下部ロッド間に開口部となる隙間が生じて、この隙間から地下水を採取可能とし、さらに採取した地下水を貯蔵することができる。
【００１６】
請求項４に係る発明は、前記先端コーン部と前記中央軸部とを着脱自在に構成し、該先端コーン部の上部部材に切欠部を設けると共に、前記下部ロッドに前記切欠部と係合する突出部を設けて、前記下部ロッドと前記先端コーン部とが密着した時に一体的に回転可能な構成としたことを特徴としている。
【００１７】
上記の構成を有する請求項４に係る発明によれば、ロッド体を貫入する際には、先端コーン部と下部ロッドとが係合した状態であるので、ロッド体全体を回転させることで、先端コーン部を回転させて掘削していくことができる。
【００１８】
請求項５に係る発明は、前記先端コーン部が、外表面に螺旋条を備える円錐形状であることを特徴としている。
【００１９】
上記の構成を有する請求項５に係る発明によれば、先端コーン部を回転して効率よくねじ込んでいくことができる。
【００２０】
請求項６に係る発明は、前記先端コーン部が掘削チップを備えるメタルクラウン型先端コーン部であることを特徴としている。
【００２１】
上記の構成を有する請求項６に係る発明によれば、さらに容易に掘削することができる。
【００２２】
請求項７に係る発明は、前記ボーリングロッドと前記ロッドカップリングと前記下部ロッドとが略同じ外径であって、前記貫入コーン部の外径がそれよりも大きいことを特徴としている。
【００２３】
上記の構成を有する請求項７に係る発明によれば、ボーリングロッドの打ち込みと引き上げを容易に行うことができる。
【発明の効果】
【００２４】
本発明の地下水採取装置によれば、ロッド体を貫入する際には、先端コーン部と下部ロッドとが密着した状態であり、ロッド体を引き上げ操作時に、前記先端コーン部と下部ロッド間に開口部を生じる構成としたので、所定深度まで貫入する際には、地下水脈中であっても地下水を採取せずに、引き上げ操作開始後に前記先端コーン部と下部ロッド間に開口部が生じて、この開口部から所定深度の地下水を採取可能とする地下水採取装置とすることができる。
【発明を実施するための最良の形態】
【００２５】
所定深度にボーリングロッドを打ち込んで引き上げるだけで、容易に所定量の地下水を採取することができる地下水採取装置を得るという目的を、パイプ状のボーリングロッド下部に、共に中空状のロッドカップリングと下部ロッドとを連結して一体的に中空状のロッド体を構成し、該ロッド体の下方に貫入コーン部材を配設すると共に、前記貫入コーン部材が、地中に貫入する先端コーン部と、該先端コーン部の上部側に連なると共に前記ロッドカップリングと下部ロッドの中空状内部とボーリングロッド内部を挿通自在な中央軸部と、該中央軸部に連なる後端拡径部とを備えており、該後端拡径部が前記ボーリングロッドの内部は挿通自在であるが、ロッドカップリングとは係合する構成とすることで実現した。
【実施例】
【００２６】
以下、本発明に係る地下水採取装置の実施例について、図１から図６に基づいて説明する。
【００２７】
図１は本発明に係る地下水採取装置の全体概略図である。図２は本発明に係るボーリングロッドと貫入コーン部材を示し、（ａ）は貫入コーン部材と下部ロッドとが当接している断面図であり、（ｂ）は貫入コーン部材が下部ロッドから離反した際の断面図である。図３は地下水を採取した状態を示す断面図である。図４は本発明により地下水を採取する手順を示し、（ａ）は所定深度まで打ち込んだところを示す断面図であり、（ｂ）はボーリングロッドを引き上げ始めたところを示す断面図であり、（ｃ）は地下水を採取したところを示す断面図であり、（ｄ）は地下水を採取して地上に持ち帰ったところを示している。図５は採取した地下水を検査容器に移し替えるところを示す概略説明図である。
【００２８】
図１に示すように、本発明に係る地下水採取装置Ｍはボーリング調査の一環として、所定深度の地下水を採取する装置である。
【００２９】
先行ボーリング調査により、地盤２０を掘削して、地下水脈２１が存在する位置深度Ｈを探索しておく。調査地点の地盤２０上にやぐら１０とボーリングマシン１１を設置して、該ボーリングマシン１１の貫通孔１１Ａに前記地下水採取装置Ｍを挿通自在に装着する。その後、予め探索された地下水採取可能な深度Ｈまで、地下水採取装置Ｍを挿入すると共に、さらに貫入して引き上げることで地下水を採取するものである。
【００３０】
地下水採取装置Ｍは、貫入コーン部材１を最下部に配置し、その上にボーリングロッド４と連結用ボーリングロッド５Ａ、５Ｂ、５Ｃを連結したロッド状部材である。また、最上段の連結用ボーリングロッド５Ｃ上部には打撃ヘッド６を配設して、錘ＷＴを前記打撃ヘッド６に落下させ打ち付けて、この落下衝撃により前記貫入コーン部材１を貫入していく構成である。
【００３１】
前記錘ＷＴは、前記打撃ヘッド６上部に位置しボーリングロッドに連なる小径ロッド７を摺動自在であり、ワイヤ１２を介して移動自在に構成されている。そのために、地下水採取装置Ｍを直立状態に設置すると、前記ワイヤ１２により、前記錘ＷＴは鉛直方向に昇降自在な構成となる。
【００３２】
ワイヤ１２は、滑車Ｋ１とプーリＫ２とに巻回しながら図示していない巻取機に巻き取られており、前記巻取機によりワイヤ１２を巻き取ると、錘ＷＴが上昇し、前記巻取機の巻き取りを解舒すると、前記錘ＷＴが自然落下する構成としている。つまり、錘ＷＴを所定高さ吊り上げて打撃ヘッド６に落下させる際の衝撃により、ボーリングロッド先端に装着した貫入コーン部材１を地中に打ち込む（貫入する）構成である。
【００３３】
前記連結用ボーリングロッド５Ａ、５Ｂ、５Ｃはボーリング深さに応じて増減する連結自在な鋼管である。そのために、連結本数を多くすれば地中深くまでボーリングして地下水を採取することができる。
【００３４】
地下水脈２１の位置する深度Ｈからさらに所定深度まで前記貫入コーン部材１を打ち込んで、引き上げる動作により、前記地下水脈２１中の所定深度の地下水を採取するものであり、以下にその地下水採取動作について説明する。
【００３５】
図２（ａ）に示すように、貫入コーン部材１は、先端コーン部１Ａと、該コーン部の上部側に連なる中央軸部１Ｂと、後端拡径部１Ｃとを備えている。前記先端コーン部１Ａは、図２（ｂ）に示すように、その外径Ｄ１が下部ロッド２の外径Ｄ２と略同じかまたはそれより大きい外径とされていて、地中に貫入し易い円錐形状（例えば先端角３０°〜６０°）の鋼鉄製部材である。
【００３６】
また、前記中央軸部１Ｂは、下部ロッド２とロッドカップリング３の中空状内部とボーリングロッド４内部の空隙部を挿通自在な程度の細径の中心軸であって、前記先端コーン部１Ａと上部の後端拡径部１Ｃとを結ぶ連結軸となる。
【００３７】
また、前記中央軸部１Ｂの長さは、先端コーン部１Ａと下部ロッド２とが密着した時に、後端拡径部１Ｃがロッドカップリング３の傾斜面部３ａから離間した位置にあるような長さとした。
【００３８】
ここで、前記中央軸部１Ｂと前記先端コーン部１Ａとをネジ連結し、止めネジ１Ｄにより固定する構成とすれば、任意の長さの中央軸部１Ｂに交換可能であり、地下水脈の深さに合わせて交換することで、採取する地下水の量を変更することが可能となり好適である。
【００３９】
前記後端拡径部１Ｃは、前記中央軸部１Ｂから径を拡大しながらテーパ状に大きくなっており、その外径Ｄ３はボーリングロッド４の内径Ｄ４よりも小さい形状であって、パイプ状の前記ボーリングロッド４の空洞内部を摺動自在な構造となっている。
【００４０】
ここで、ボーリングロッド４は、例えば外径がおよそ４０ｍｍで空洞内部の内径Ｄ４が３１ｍｍ程度の鋼鉄製ロッドとしている。
【００４１】
また、下部ロッド２も前記ボーリングロッド４と同様な材質で寸法のパイプ状ロッドであって、その平坦な下端面２ａが先端コーン部１Ａの上端面１Ａａと接離自在な構成である。そのために、貫入コーン部材１を貫入する際には、前記下部ロッド２の下端面２ａが先端コーン部１Ａの上端面１Ａａに当接した状態で、錘ＷＴを落下させる構成としている。つまり、前記下部ロッド２は前記先端コーン部１Ａと密着する部材であると共に、錘ＷＴの落下衝撃を伝達する部材であり、その落下衝撃に耐える程の強度を備えている。
【００４２】
ロッドカップリング３も鋼鉄製の中空状物品であり、前記下部ロッド２とボーリングロッド４とを連結する部材である。そのために、両側に雄ネジ部を備えたパイプ状とすると共に、両方の雄ネジ部から中央部分に向かって縮径していく傾斜面部３ａと、中心軸部にある小径通路部３ｂを備えた中空状物品としている。
【００４３】
また、両側に雄ネジ部を備え、両方の雄ネジ部から中央部分に向かって縮径していく傾斜面部３ａを共に備えた上下対称な形状としているので、該ロッドカップリング３の取付方向には上下の相違がなく、いずれの方向にも取付可能であるという効果を有する。
【００４４】
下部ロッド２とボーリングロッド４の内径部にはそれぞれ雌ネジが設けられており、両側に雄ネジ部を備えるロッドカップリング３により接続する構成としている。つまり、下部ロッド２とロッドカップリング３とボーリングロッド４とはそれぞれネジ接続されて一体化されて、一体のロッド体Ｒを構成している。勿論、ボーリングロッド４上部の連結用ボーリングロッド５Ａ、５Ｂ、５Ｃもそれぞれネジ接続され、ロッド体Ｒとして一体に連結された構成である。この時に、接続部の一方を雌ネジとし他方を雄ネジとしてネジ接続してもよいし、また、両方を雌ネジとし、雄ネジ部を備える前記ロッドカップリング３により接続する構成としてもよく、特に限定するものではない。
【００４５】
下部ロッド２と先端コーン部１Ａとを離反すると、図２（ｂ）に示すように、後端拡径部１Ｃのテーパ面１Ｃａがロッドカップリング３の傾斜面部３ａに当接するまで相対移動する。この時に、前記テーパ面１Ｃａと傾斜面部３ａとのテーパ角度を略同じとして、両面が当接した際に密着する構成とした。
【００４６】
勿論、前記後端拡径部１Ｃを単に平面状の拡大部とし、前記傾斜面部３ａも平面とした係合関係であってもよいが、互いを略等しいテーパ状とすれば、さらに密着度が安定し好適である。
【００４７】
上記のように、下部ロッド２とロッドカップリング３とボーリングロッド４とはロッド体Ｒとして一体構成とされているが、貫入コーン部材１は前記ロッド体Ｒに対して移動自在に別体として構成されており、ロッドカップリング３の軸方向中心に位置する小径通路部３ｂを挿通自在となるように、該小径通路部３ｂの内径ｄ２よりも小さな外径ｄ１の中央軸部１Ｂを備える構成としている。
【００４８】
そのために、下部ロッド２と先端コーン部１Ａが離反して開口部Ｅを開放する方向に貫入コーン部材１が移動可能であり、後端拡径部１Ｃのテーパ面１Ｃａがロッドカップリング３の傾斜面部３ａに当接して停止するまで離反する構成である。
【００４９】
地下水脈２１中に位置する開口部Ｅが開放されると、該開口部Ｅから周囲の地下水が流入する。これは、開口部Ｅと前記ロッド体Ｒの中空状内部が連接しているので、ロッド体全長に渡って地上の大気に連接されるその中空状内部に、地下水圧に相当する水位まで開口部周囲の地下水が流入するからである。
【００５０】
つまり、図３に示すように、地下水脈２１内に地下水採取装置Ｍを貫入して引き上げる操作により、地下水を前記開口部Ｅから採取する構成であり、前記傾斜面部３ａに前記テーパ面１Ｃａが当接して封止した時の水位に相当する深さｈ１だけ地下水採取と貯蔵を行う。ただし、地下水の水圧が高い場合には、前記ｈ１よりも大きい深さｈ２分の地下水採取を行うことができる。
【００５１】
前記開口部Ｅが開放されたら直ちに地下水採取が行われ、該地点における地下水脈の水位の相当する深さｈ１に相当する地下水量を採取する。つまり、本発明に係る地下水採取装置を用いれば、所定深度に位置する地下水を正しく採取することになって、正確な汚染調査を行うことができる。
【００５２】
図４により、地下水採取手順について説明する。先ず、図４（ａ）に示すように、先行ボーリング調査により予め探索済みの地下水脈２１位置まで地下水採取装置Ｍを挿入して、該地下水脈２１中を貫入していく。または、比較的軟質な土壌層の場合では、貫入コーン部材１の上部付近に水位検知センサＳを配設して、先行ボーリングなしで、直接地下水採取装置Ｍをボーリングして、前記水位検知センサＳが地下水脈２１を検知して引き上げる構成とすることも可能である。
【００５３】
地下水脈２１層中を貫入する際には、前記下部ロッド２の下端面２ａが先端コーン部１Ａの上端面１Ａａに当接した状態であって、所定深度に達するまでは周囲の地下水等が浸入しない程度に密着した構成としている。
【００５４】
貫入コーン部材１が所定深度の地下水脈２１まで達すると、図４（ｂ）に示すように、地下水採取装置Ｍの引き上げを開始する（図中の矢印方向）。この引き上げ操作により、前記ロッド体Ｒが一体的に引き上げられるが、貫入コーン部材１は上述したように該ロッド体とは別体であるので移動せず、後端拡径部１Ｃのテーパ面１Ｃａ４がロッドカップリング３の傾斜面部３ａに当接する（図２（ｂ）参照）までは上昇しない。
【００５５】
後端拡径部１Ｃのテーパ面１Ｃａがロッドカップリング３の傾斜面部３ａに当接する（図２（ｂ）参照）と、図４（ｃ）に示す状態となるが、この状態に至って初めて封止状態となる。開放された直後に前記開口部Ｅより、図中の矢印３０に示すように流れ込む地下水３１は、開口部Ｅが開放された位置の周囲の地下水位に相当する分の地下水量であって、前記テーパ面１Ｃａが前記傾斜面部３ａに当接して密閉する位置にて、ボーリングロッド４の空洞内部に貯蔵される。
【００５６】
図４（ｄ）には、地下水採取装置Ｍ全体が引き上げられたところを示しているが、この状態は、貫入コーン部材１の後端拡径部１Ｃのテーパ面１Ｃａがロッドカップリング３の傾斜面部３ａに当接して密着した状態であって、ボーリングロッド４の空洞内部に貯蔵された地下水３１が漏れ出さないように封止して密閉された状態である。
【００５７】
図５には採取した地下水３１を容器４０に移載するところを示しているが、地下水３１を採取して貯蔵した状態の地下水採取装置Ｍを容器４０まで運んで、先端コーン部１Ａを容器４０に押し付ける（矢印Ａ方向）と、前記テーパ面１Ｃａとロッドカップリング３の傾斜面部３ａとの密着が開放されて、貯蔵されていた地下水３１が図中の矢印３２のように落下して、前記容器４０内に採取地下水３３として移載される。
【００５８】
この時に、地下水採取装置Ｍを押し付けるのではなく、容器４０を矢印Ｂ方向に持ち上げて、前記先端コーン部１Ａを持ち上げるようにして採取地下水３３を採取する構成としてもよい。
【００５９】
本発明に係る地下水採取装置Ｍは、適当な深度まで貫入して引き上げるだけの操作で、貫入した深度での地下水を確実にまた簡単に採取することができる。
【００６０】
さらに、連結用ボーリングロッドを多段に組み合わせることで、地中深い地層内の地下水も採取することができる。
【００６１】
また、本発明に係る地下水採取装置Ｍは、所定深度の地下水を一度に大量に採取可能であり、地下水採取のための貫入試行回数を少なくすることができる。
【００６２】
さらに、開口部Ｅが大きく開くために、地下水と共に、土壌サンプルも吸引することになり、汚染物質の採取がさらに容易となる。
【００６３】
このように、外径が４０ｍｍ程度の打ち込み易い鋼鉄ロッドを地中に貫入して引き上げるだけの操作であるので、操作が簡単であるだけでなく、地下水採取の操作によって地下水を汚染することもない。
【００６４】
また、図６（ａ）に示すように、先端コーン部を、螺旋条１０２を備える円錐状の先端コーン部１ＡＡとし、該先端コーン部の上部部材に切欠部１０１を形成し、該切欠部１０１に下部ロッド２Ａに設けた突出部２Ａａが係合する構成とすれば、ロッド体を回転すると、先端コーン部１ＡＡも一体的に回転するので、ロッド体を回転させるだけで、先端コーン部１ＡＤを軟弱な地層にネジ込みながら掘削する構成とすることもできる。
【００６５】
これは、ロッド体を貫入する際には下部ロッド２Ａと先端コーン部１ＡＡとが密着した状態であって、前記ロッド体を回転すると、図６（ａ）のＣ−Ｃ断面である図６（ｂ）に示すように、前記下部ロッド２Ａに形成された突出部２Ａａが、前記切欠部１０１を供回りさせて、先端コーン部１ＡＡが回転するからである。
【００６６】
前記突出部２Ａａを下部ロッド２Ａの内側に形成し、切欠部１０１と係合する構成としているので、下部ロッド２Ａと先端コーン部１ＡＡとは密着した状態を維持したまま貫入或いは掘削する構成となり、貫入中或いは掘削中に先端コーン部１ＡＡ周辺の地下水が浸入することがない。
【００６７】
また、先端コーン部の変形例として、図６（ｃ）に示す三角錐状の先端部中腹部に複数の掘削用の超硬合金チップ１００を配設した先端コーン部１ＡＢとしてもよい。また、図６（ｄ）に示すように三角錐状の先端部周辺に掘削用の超硬合金チップ１００を環状に配設した先端コーン部１ＡＣとしてもよい。さらには、図６（ｅ）に示すように、掘削用の超硬合金チップ１００を複数備えるメタルクラウン型先端コーン部１ＡＤとして、ロッド体を回転さすことで、掘削しながら土壌に先端コーン部１ＡＤを貫入することができる。
【００６８】
特に、砂質土や腐葉土のように軟質土壌の場合には、ロッド体を回転させるだけで容易に貫入することができるので、前記掘削用の超硬合金チップを備えた先端コーン部や螺旋条を備える先端コーン部を装着して、簡単な装備で地下水を採取可能とする地下水採取装置とすることができる。
【００６９】
上述した各種の先端コーン部はいずれも止めネジ１Ｄを介して装着自在な構成であり、地盤状況や使用条件に応じて適宜選択して交換可能になっている。
【図面の簡単な説明】
【００７０】
【図１】本発明に係る地下水採取装置の全体概略図である。
【図２】本発明に係るボーリングロッドと貫入コーン部材を示し、（ａ）は貫入コーン部材と下部ロッドとが当接している断面図であり、（ｂ）は貫入コーン部材が下部ロッドから離反した際の断面図である。
【図３】地下水を採取した状態を示す断面図である。
【図４】本発明により地下水を採取する手順を示し、（ａ）は所定深度まで打ち込んだところを示す断面図であり、（ｂ）はボーリングロッドを引き上げ始めたところを示す断面図であり、（ｃ）は地下水を採取したところを示す断面図であり、（ｄ）は地下水を採取して地上に持ち帰ったところを示している。
【図５】採取した地下水を検査容器に移し替えるところを示す概略説明図である。
【図６】先端コーン部の変形例を示し、（ａ）は螺旋条を備える三角錐状の先端コーン部を示す断面図であり、（ｂ）はＣ−Ｃ断面図であり、（ｃ）は三角錐状の先端部中腹部に複数の掘削用の超硬合金チップ１００を配設した先端コーン部を示す正面図であり、（ｄ）は三角錐状の先端部周辺に環状に掘削用の超硬合金チップを配設した先端コーン部を示す正面図であり、（ｅ）には底面に複数の掘削用の超硬合金チップを配設したメタルクラウン型先端コーン部を示している。
【符号の説明】
【００７１】
１  貫入コーン部材
１Ａ  先端コーン部
１Ａａ  上端面
１ＡＤ  メタルクラウン型先端コーン部
１Ｂ  中央軸部
１Ｃ  後端拡径部
１Ｃａ  テーパ面
２  下部ロッド
２ａ  下端面
２Ａａ  突出部
３  ロッドカップリング
３ａ  傾斜面部
４  ボーリングロッド
２０  地層
２１  地下水脈
３３  採取地下水
１００  掘削チップ
１０１  切欠部
１０２  螺旋条
Ｍ  地下水採取装置
Ｅ  開口部
Ｒ  ロッド体
【図１】
2005171487.tif 000003
【図２】
2005171487.tif 000004
【図３】
2005171487.tif 000005
【図４】
2005171487.tif 000006
【図５】
2005171487.tif 000007
【図６】
2005171487.tif 000008